(57)【特許請求の範囲】
【請求項１】
情報が格納されている情報コードを読み取る情報コード読取手段（２１ａ）と、
情報コードが前記情報コード読取手段により読み取られたことで、その読み取られた情報コードに対応する情報を抽出する情報抽出手段（３１ｃ）と、
ユーザが連続読み取りモードを設定したことを条件とし、複数の情報コードが時系列で連続して前記情報コード読取手段により読み取られたことで前記情報抽出手段により抽出された複数の情報を所定順序にしたがって関連付け、連続性を有する時系列情報を生成する時系列情報生成手段（３１ｄ）と、
前記時系列情報生成手段により生成された時系列情報を出力する情報出力手段（２１ｅ）と、を備えたことを特徴とする情報取得システム（１）。
【請求項２】
請求項１に記載した情報取得システムにおいて、
情報コード読取手段は、順序を特定可能な順序ＩＤが格納されている情報コードを読み取り、
前記時系列情報生成手段は、順序ＩＤにより特定される順序を所定順序とし、連続性を有する時系列情報を生成することを特徴とする情報取得システム。
【請求項３】
請求項１に記載した情報取得システムにおいて、
前記時系列情報生成手段は、複数の情報コードが時系列で連続して前記情報コード読取手段により読み取られた順序である読み取り順序を所定順序とし、連続性を有する時系列情報を生成することを特徴とする情報取得システム。
【請求項４】
請求項１から３の何れか一項に記載した情報取得システムにおいて、
前記情報コード読取手段は、動画により順次提示される複数の情報コードを時系列で連続して読み取ることを特徴とする情報取得システム。
【請求項５】
請求項１から３の何れか一項に記載した情報取得システムにおいて、
前記情報コード読取手段は、静止画により提示されている複数の情報コードを時系列で連続して読み取ることを特徴とする情報取得システム。
【請求項６】
請求項１から５の何れか一項に記載した情報取得システムにおいて、
前記時系列情報生成手段は、時系列情報として、複数の地点情報の通過順序を示すルート情報を生成することを特徴とする情報取得システム。
【請求項７】
請求項１から５の何れか一項に記載した情報取得システムにおいて、
前記時系列情報生成手段は、時系列情報として、複数のコンテンツの再生順序を示すコンテンツ再生情報を生成することを特徴とする情報取得システム。
【請求項８】
請求項１から５の何れか一項に記載した情報取得システムにおいて、
通信端末（２）がサーバ（３）にアクセス可能に構成され、
前記情報コード読取手段及び前記情報出力手段が前記通信端末に設けられ、
前記時系列情報生成手段が前記サーバに設けられていることを特徴とする情報取得システム。
【請求項９】
情報コードが通信端末（２）により読み取られたことで、その読み取られた情報コードに対応する情報を抽出する情報抽出手段（３１ｃ）と、
ユーザが連続読み取りモードを設定したことを条件とし、複数の情報コードが時系列で連続して前記通信端末により読み取られたことで前記情報抽出手段により抽出された複数の情報を所定順序にしたがって関連付け、連続性を有する時系列情報を生成する時系列情報生成手段（３１ｄ）と、を備えたことを特徴とするサーバ（３）。
【請求項１０】
サーバ（３）の制御手段（３１）に、
情報コードが通信端末（２）により読み取られたことで、その読み取られた情報コードに対応する情報を抽出する情報抽出処理と、
ユーザが連続読み取りモードを設定したことを条件とし、複数の情報コードが時系列で連続して前記通信端末により読み取られたことで前記情報抽出処理により抽出した複数の情報を所定順序にしたがって関連付け、連続性を有する時系列情報を生成する時系列情報生成処理と、を実行させることを特徴とする情報提供プログラム。
【発明の詳細な説明】
【技術分野】
【０００１】
本発明は、情報取得システム、サーバ及び情報提供プログラムに関する。
【背景技術】
【０００２】
従来より、例えばＱＲ（Quick Response）コード（登録商標）等の予め定められた情報をコード化した情報コードが供されている。この種の情報コードは、例えば特許文献１に開示されているように通信端末により読み取られることで、対応するアプリケーションプログラム（以下、アプリと称する）を起動することができる等、利便性が高く、広く利用されている。
【先行技術文献】
【特許文献】
【０００３】
【特許文献１】特開２００８−１８１５０４号公報
【発明の概要】
【発明が解決しようとする課題】
【０００４】
情報コードの利用形態の１つとして、情報コードに地点情報（ＰＯＩ（Point Of Interest）情報）を格納する形態がある。地点情報が格納されている情報コードが通信端末により読み取られると、ナビアプリと連携することで例えば地点情報の緯度経度を目的地とする経路を取得可能となる。ところで、情報コードに地点情報が格納されていても、ユーザは当該情報コードを見ただけでは地点情報が格納されていると理解することができず、情報コードを読み取って初めて地点情報が格納されていると理解することができる。又、地点情報が格納されているとユーザが理解しても、そのユーザが当該地点情報の施設を訪れた後に別の施設を訪れたいと考える場合もあり得る。そのような場合、ユーザは複数の情報コードを時系列で連続して読み取ることになるが、それら読み取られた複数の情報コードのそれぞれに対応する複数の情報が互いに関連付けられることはない。このように複数の情報コードが時系列で連続して読み取られとしても、適切に対応しきれていないという問題があった。
【０００５】
本発明は、上記した事情に鑑みてなされたものであり、その目的は、複数の情報コードを時系列で連続して読み取る場合に、その読み取られた複数の情報コードに対応する適切な情報を取得することができ、利便性を高めることができる情報取得システム、サーバ及び情報提供プログラムを提供することにある。
【課題を解決するための手段】
【０００６】
請求項１に記載した情報取得システムは、情報コード読取手段は、情報が格納されている情報コードを読み取る。情報抽出手段は、情報コードが情報コード読取手段により読み取られたことで、その読み取られた情報コードに対応する情報を抽出する。時系列情報生成手段は、ユーザが連続読み取りモードを設定したことを条件とし、複数の情報コードが時系列で連続して情報コード読取手段により読み取られたことで情報抽出手段により抽出された複数の情報を所定順序にしたがって関連付け、連続性を有する時系列情報を生成する。情報出力手段は、時系列情報生成手段により生成された時系列情報を出力する。
【０００７】
即ち、複数の情報コードが時系列で連続して読み取られると、複数の情報コードのそれぞれに対応する複数の情報が所定順序にしたがって関連付けられ、その所定順序にしたがって関連付けられた連続性を有する時系列情報を出力する。これにより、複数の情報コードを時系列で連続して読み取る場合に、その読み取られた複数の情報コードに対応する適切な情報を取得することができ、利便性を高めることができる。
【０００８】
請求項９に記載したサーバは、情報抽出手段は、情報コードが通信端末により読み取られたことで、その読み取られた情報コードに対応する情報を抽出する。時系列情報生成手段は、ユーザが連続読み取りモードを設定したことを条件とし、複数の情報コードが時系列で連続して通信端末により読み取られたことで情報抽出手段により抽出された複数の情報を所定順序にしたがって関連付け、連続性を有する時系列情報を生成する。
【０００９】
これにより、請求項１に記載した発明と同様に、複数の情報コードを時系列で連続して読み取る場合に、その読み取られた複数の情報コードに対応する適切な情報を取得することができ、利便性を高めることができる。
【図面の簡単な説明】
【００１０】
【図１】一実施形態の情報取得システムの全体構成を示す図
【図２】ＱＲコードを示す図
【図３】情報がサーバに格納されている態様を示す図
【図４】情報コードを時系列で連続して読み取る態様を示す図
【図５】複数の情報コードが情報誌の紙面で提供されている態様を示す図
【図６】複数の情報コードがＷｅｂページで提供されている態様を示す図
【図７】通信端末及びサーバの処理の流れを示す図（その１）
【図８】通信端末がＱＲコードを時系列で連続して読み取り、サーバからルート情報を取得する態様を示す図（その１）
【図９】通信端末及びサーバの処理の流れを示す図（その２）
【図１０】通信端末がＱＲコードを時系列で連続して読み取り、サーバからルート情報を取得する態様を示す図（その２）
【図１１】通信端末の処理の流れを示す図（その１）
【図１２】通信端末の処理の流れを示す図（その２）
【図１３】通信端末の画面を示す図（その１）
【図１４】通信端末の画面を示す図（その２）
【図１５】通信端末の画面を示す図（その３）
【図１６】通信端末の画面を示す図（その４）
【図１７】通信端末の画面を示す図（その５）
【図１８】通信端末の画面を示す図（その６）
【発明を実施するための形態】
【００１１】
以下、本発明の一実施形態について図面を参照して説明する。
図１に示すように、情報取得システム１は、通信端末２（情報コード読取装置に相当）と、サーバ３とを有し、両者が通信ネットワーク（インターネットを含む）を介してデータ通信可能に構成されている。本実施形態では、通信端末２として所謂スマートフォン（多機能型の携帯電話機）を想定しており、情報コードとしてＱＲ（Quick Response）コード（登録商標）を想定している。又、不特定多数の通信端末２がサーバ３にアクセス可能である。
【００１２】
通信端末２は、制御部２１と、メモリ２２と、ユーザインタフェース（ＵＩ（User Interface））部２３と、表示部２４と、通信部２５と、カメラ２６とを有する。制御部２１は、ＣＰＵ（Central Processing Unit）、ＲＯＭ（Read Only Memory）、ＲＡＭ（Random Access Memory）及びＩ／Ｏ（Input／Output）を有するマイクロコンピュータにより構成されている。メモリ２２は、例えば半導体記憶素子等により構成されており、コンピュータプログラムを記憶している。制御部２１は、メモリ２２に記憶されているコンピュータプログラムを実行し、通信端末２の動作全般を制御する。
【００１３】
ユーザインタフェース部２３は、例えば表示部２４の画面に形成されるタッチパネルや機械的なスイッチ等により構成されており、ユーザからの操作を受け付けると、その操作内容を示す操作検知信号を制御部２１に出力する。表示部２４は、例えば液晶パネルや有機ＥＬ（Electro-Luminescence）パネル等により構成されており、制御部２１から表示指令信号を入力すると、その入力した表示指令信号により指定される画面を表示する（描画する）。通信部２５は、サーバ３との間での通信ネットワークを介したデータ通信を制御する。カメラ２６は、ＣＣＤ（Charge Coupled Device）イメージセンサやＣＭＯＳ（Complementary Metal Oxide Semiconductor）イメージセンサを含んで構成されている。カメラ２６は、制御部２１から撮像指令信号を入力すると、撮像動作を行い、撮像して取得した画像を制御部２１に出力する。尚、通信端末２は、これらの機能の他に、ユーザが発した音声を送話音声として入力する機能、通話相手から通信ネットワークを介して受信した音声を受話音声として出力する機能、電話帳データを記憶する機能等の電話に関する様々な周知の機能を有する。
【００１４】
サーバ３は、制御部３１（制御手段に相当）と、メモリ３２と、記憶部３３と、通信部３４とを有する。制御部３１は、ＣＰＵ、ＲＯＭ、ＲＡＭ及びＩ／Ｏを有するマイクロコンピュータにより構成されている。メモリ３２は、例えば半導体記憶素子等により構成されており、コンピュータプログラムを記憶している。制御部３１は、メモリ３２に記憶されているコンピュータプログラムを実行し、サーバ３の動作全般を制御する。記憶部３３は、ハードディスク等の記憶媒体で構成されており、各種情報（後述する地点情報、サービスＩＤ等）をデータベース３３ａに格納している。通信部３４は、通信端末２との間での通信ネットワークを介したデータ通信を制御する。
【００１５】
制御部３１は、ＱＲコード生成部３１ａと、受信制御部３１ｂと、情報抽出部３１ｃ（情報抽出手段に相当）と、時系列情報生成部３１ｄ（時系列情報生成手段に相当）と、送信制御部３１ｅとを有する。これらＱＲコード生成部３１ａ、受信制御部３１ｂ、情報抽出部３１ｃ、時系列情報生成部３１ｄ及び送信制御部３１ｅは、制御部３１が実行するコンピュータプログラム（情報提供プログラムを含む）により構成されており、ソフトウェアにより実現されている。
【００１６】
ここで、ＱＲコード生成部３１ａが生成するＱＲコードについて説明する。ＱＲコード生成部３１ａは、図２（ａ）に示すような地点情報及びサービスＩＤに加えてルート順ＩＤがコード化されたＱＲコード（ルート順ＩＤありのＭａｐＱＲ）や、図２（ｂ）に示すような地点情報及びサービスＩＤがコード化されたＱＲコード（ルート順ＩＤなしのＭａｐＱＲ）を生成する。地点情報はＰＯＩ（Point Of Interest）名称と緯度経度とを含むＰＯＩ情報である。サービスＩＤは地点情報のジャンル（サービスの種別）を示すＩＤである。ルート順ＩＤは順序を特定可能な順序ＩＤである。このようにして生成されたＱＲコードは、例えば情報誌の紙面やＷｅｂページ等で公開されることで、撮像機能を有する通信端末２により読み取られる。即ち、撮像機能を有する通信端末２を使用する不特定多数のユーザは、通信端末２の撮像機能を用いることで、地点情報及びサービスＩＤに加えてルート順ＩＤがコード化されているＱＲコードや、地点情報及びサービスＩＤがコード化されているＱＲコードを容易に読み取ることが可能である。
【００１７】
記憶部３３のデータベース３３ａは、ＱＲコード生成部３１ａが上記した特徴を有するＱＲコードを生成することに対応し、図３に示すように地点情報及びサービスＩＤと対応付けて各種情報を格納している。受信制御部３１ｂは、通信端末２から送信された情報要求信号を受信させる。情報抽出部３１ｃは、地点情報及びサービスＩＤを含む情報要求信号が受信制御部３１ｂにより受信されると、その受信された情報要求信号から地点情報及びサービスＩＤを特定し、データベース３３ａを検索し、その特定した地点情報及びサービスＩＤと対応付けられて格納されている情報を抽出する。時系列情報生成部３１ｄは、情報抽出部３１ｃにより抽出された複数の情報を、後述する手順にしたがって所定順序にしたがって関連付け、連続性を有する時系列情報としてルート情報を生成する。送信制御部３１ｅは、情報抽出部３１ｃにより生成された時系列情報を含む情報応答信号を通信端末２に送信させる。
【００１８】
制御部２１は、ＱＲコード読取部２１ａ（情報コード読取手段に相当）と、デコード部２１ｂと、送信制御部２１ｃと、受信制御部２１ｄと、情報出力部２１ｅ（情報出力手段に相当）とを有する。これらＱＲコード読取部２１ａ、デコード部２１ｂ、送信制御部２１ｃ、受信制御部２１ｄ及び情報出力部２１ｅは、制御部２１が実行するコンピュータプログラムにより構成されており、ソフトウェアにより実現されている。
【００１９】
ＱＲコード読取部２１ａは、カメラ２６がＱＲコードを撮像すると、そのＱＲコードの画像をカメラ２６から入力することでＱＲコードを読み取る。デコード部２１ｂは、ＱＲコード読取部２１ａにより読み取られたＱＲコードをデコードし、ＱＲコードに格納されている地点情報やサービスＩＤ等を特定する。送信制御部２１ｃは、デコード部２１ｂによりデコードされた地点情報やサービスＩＤ等を含む情報要求信号をサーバ３に送信させる。受信制御部２１ｄは、サーバ３から送信された情報応答信号を受信させる。情報出力部２１ｅは、ルート情報を含む情報応答信号が受信制御部２１ｄにより受信されると、その受信された情報応答信号からルート情報を特定し、その特定したルート情報を含む画像を生成して表示部２４に表示させる。
【００２０】
さて、ユーザがＱＲコードを通信端末２により読み取る態様の一つとして、図４に示すように複数のＱＲコード（図４では、ＱＲコード１、ＱＲコード２、ＱＲコード３）を時系列で連続して読み取る場合がある。この場合、複数のＱＲコードは、例えばアニメーションＧＩＦ（１つのファイルの中に複数のＧＩＦ画像を保存して順次表示する）による動画、図５に示すような情報誌の紙面に添付されている静止画、図６に示すようなＷｅｂページに描画されている静止画等で提供される。図５は地図上にＭａｐＱＲが印刷されている態様を例示しており、図６はＷｅｂページにコンテンツ名（楽曲のタイトル（例えばＡＢＣ）等）が描画されている態様を例示している。複数のＱＲコードがアニメーションＧＩＦによる動画で提供される場合は、ユーザは複数のＱＲコードを予め設定されている表示順序にしたがって読み取ることになる。又、複数のＱＲコードが情報誌の紙面やＷｅｂページによる静止画で提供される場合は、ユーザは複数のＱＲコードを所望の読み取り順序にしたがって読み取ることになる。
【００２１】
次に、上記した構成の作用について、図７から図１８を参照して説明する。ここでは、
（１−１）ルート順ＩＤを含むＱＲコードを時系列で連続して読み取る場合
（１−２）ルート順ＩＤを含まないＱＲコードを時系列で連続して読み取る場合
について順次説明する。
【００２２】
（１−１）ルート順ＩＤを含むＱＲコードを時系列で連続して読み取る場合（図７参照）
ユーザは、通信端末２を操作してＱＲコード読み取りアプリを起動し、ＱＲコードを読み取る。通信端末２において、制御部２１は、ユーザがカメラ２６でＱＲコードを撮像したことで、ＱＲコードの画像をカメラ２６から入力すると、その入力した画像からＱＲコードをＱＲコード読取部２１ａにより読み取る（Ａ１）。制御部２１は、ＱＲコードを読み取ると、その読み取ったＱＲコードを所定のアルゴリズムにしたがってデコード部２１ｂによりデコードし、地点情報とサービスＩＤとルート順ＩＤとを特定する（Ａ２）。そして、制御部２１は、予め設定されているＵＲＬ（Uniform Resource Locator）のサーバ３にアクセスし、地点情報とサービスＩＤとルート順ＩＤとを含む情報要求信号を送信制御部２１ｃにより通信部２５からサーバ３に送信させる（Ａ３）。この場合、制御部２１は、連続して読み取る対象のＱＲコードを１つ読み取る毎に情報要求信号を送信させても良いし、連続して読み取る対象のＱＲコードを全て読み取った後に纏めて情報要求信号を送信させても良い。又、制御部２１は、例えばユーザが連続読み取りモードを設定することで、連続して読み取る対象を特定する。即ち、制御部２１は、例えばユーザが連続読み取りモードを設定したことで、連続して読み取る対象の先頭のＱＲコードを特定し、例えばユーザが連続読み取りモードを解除したことで、連続して読み取る対象の末尾のＱＲコードを特定する。
【００２３】
サーバ３において、制御部３１は、通信端末２から送信された情報要求信号を受信制御部３１ｂにより受信すると（Ｂ１）、その受信した情報要求信号に含まれる地点情報とサービスＩＤとルート順ＩＤとを特定する（Ｂ２）。制御部３１は、地点情報とサービスＩＤとルート順ＩＤとを特定すると、データベース３３ａを検索し（Ｂ３）、それぞれの地点情報に対応する情報を情報抽出部３１ｃにより抽出する（Ｂ４）。この場合、制御部３１は、通信端末２から送信された情報要求信号を受信制御部３１ｂにより受信する毎に地点情報に対応する情報を抽出しても良いし、情報要求信号を全て受信した後に纏めて情報を抽出しても良い。次いで、制御部３１は、抽出した複数の情報をルート順ＩＤにしたがって関連付け、それぞれの地点情報の通過順序を示すルート情報を時系列情報生成部３１ｄにより生成する（Ｂ５）。具体的には、制御部３１は、複数の情報を例えばルート順ＩＤの昇順にしたがってソートしてルート情報を生成する。そして、制御部３１は、その生成したルート情報を含む情報応答信号を送信制御部３１ｅにより通信部３４から通信端末２に送信させる（Ｂ６）。
【００２４】
通信端末２において、制御部２１は、サーバ３から送信された情報応答信号を受信制御部２１ｄにより受信すると（Ａ４）、その受信した情報応答信号に含まれるルート情報を例えば地図表示用フォーマットに変換する等して情報出力部２１ｅにより表示する（Ａ５）。これにより、ユーザは、ＱＲコード読み取りアプリを起動し、複数のＱＲコードを時系列で連続して読み取ることで、その読み取った複数のＱＲコードに格納されているルート順ＩＤにしたがうルート情報をサーバ３から取得することができる。即ち、ユーザは、読み取った複数のＱＲコードのそれぞれに対応する複数の地点情報を通過する経路をサーバ３から取得することができる。
【００２５】
図８は、通信端末２がＱＲコード読み取りアプリを起動し、それぞれがルート順ＩＤを含む複数のＱＲコードを時系列で連続して読み取った場合を例示している。通信端末２は、複数のＱＲコードをＱＲコード読み取りアプリにより時系列で連続して読み取ると、その読み取った複数のＱＲコードをデコードしてそれぞれの地点情報とサービスＩＤとルート順ＩＤとをサーバ３に送信する。サーバ３は、通信端末２から地点情報とサービスＩＤとルート順ＩＤとを受信すると、データベース３３ａを検索し、それぞれの地点情報に対応する情報を抽出し、それら抽出した複数の情報をルート順ＩＤにしたがって関連付けてルート情報を生成し、その生成したルート情報を通信端末２に送信する。通信端末２は、サーバ３からルート情報を受信すると、その受信したルート情報を表示する。
【００２６】
図８の例示では、通信端末２がＱＲコード１、ＱＲコード２、ＱＲコード３を読み取り、ＱＲコード１、ＱＲコード２、ＱＲコード３の順序でルート順ＩＤの昇順が格納されている場合を示している。この場合、通信端末２は、ＱＲコード１で示される施設の地点（Ｇ１）からＱＲコード２で示される施設の地点（Ｇ２）を経由してＱＲコード３で示される施設（Ｇ３）までのルート（Ｒ）を示すルート情報を表示する。又、通信端末２は、最初の目的地であるＱＲコード１で示される施設のＰＯＩ名称Ｍ１及びマップコードＭ２を表示しており、ユーザが矢印ボタンＭ３を押下すると、次の目的地であるＱＲコード２で示される施設のＰＯＩ名称Ｍ１及びマップコードＭ２へと表示を順次切替える。
【００２７】
（１−２）ルート順ＩＤを含まないＱＲコードを時系列で連続して読み取る場合（図９参照）
通信端末２において、制御部２１は、ＱＲコードをＱＲコード読取部２１ａにより読み取ると（Ａ１）、その読み取ったＱＲコードを所定のアルゴリズムにしたがってデコード部２１ｂによりデコードし、地点情報とサービスＩＤとを特定する（Ａ２）。そして、制御部２１は、予め設定されているＵＲＬのサーバ３にアクセスし、地点情報とサービスＩＤとを含む情報要求信号を送信制御部２１ｃにより通信部２５からサーバ３に送信させる（Ａ３）。この場合も、制御部２１は、時系列で連続して読み取る対象のＱＲコードを１つ読み取る毎に情報要求信号を送信させても良いし、時系列で連続して読み取る対象のＱＲコードを全て読み取った後に纏めて情報要求信号を送信させても良い。制御部２１は、纏めて情報要求信号を送信させる場合には、読み取り順序を含めて送信させる。
【００２８】
サーバ３において、制御部３１は、通信端末２から送信された情報要求信号を受信制御部３１ｂにより受信すると（Ｂ１）、その受信した情報要求信号に含まれる地点情報とサービスＩＤとを特定し（Ｂ２）、データベース３３ａを検索し（Ｂ３）、地点情報に対応する情報を情報抽出部３１ｃにより抽出する（Ｂ４）。この場合も、制御部３１は、通信端末２から送信された情報要求信号を受信制御部３１ｂにより受信する毎に地点情報に対応する情報を抽出しても良いし、情報要求信号を全て受信した後に纏めて情報を抽出しても良い。次いで、制御部３１は、読み取り順序を特定し（Ｂ１１）、抽出した複数の情報を読み取り順序にしたがって関連付け、ルート情報を時系列情報生成部３１ｄにより生成する（Ｂ５）。そして、制御部３１は、その生成したルート情報を含む情報応答信号を送信制御部３１ｅにより通信部３４から通信端末２に送信させる（Ｂ６）。
【００２９】
通信端末２において、制御部２１は、サーバ３から送信された情報応答信号を受信制御部２１ｄにより受信すると（Ａ４）、その受信した情報応答信号に含まれるルート情報を例えば地図表示用フォーマットに変換する等して情報出力部２１ｅにより表示する（Ａ５）。これにより、ユーザは、ＱＲコード読み取りアプリを起動し、複数のＱＲコードを時系列で連続して読み取ることで、その読み取り順序にしたがうルート情報をサーバ３から取得することができる。
【００３０】
図１０は、通信端末２がＱＲコード読み取りアプリを起動し、それぞれがルート順ＩＤを含まない複数のＱＲコードを時系列で連続して読み取った場合を例示している。通信端末２は、複数のＱＲコードをＱＲコード読み取りアプリにより時系列で連続して読み取ると、その読み取った複数のＱＲコードをデコードしてそれぞれの地点情報とサービスＩＤとをサーバ３に送信する。サーバ３は、通信端末２から地点情報とサービスＩＤとを受信すると、データベース３３ａを検索し、それぞれの地点情報に対応する情報を抽出し、読み取り順序を特定し、それら抽出した複数の情報を読み取り順序にしたがって関連付けてルート情報を生成し、その生成したルート情報を通信端末２に送信する。通信端末２は、サーバ３からルート情報を受信すると、その受信したルート情報を表示する。
図１０の例示では、通信端末２がＱＲコード１、ＱＲコード２、ＱＲコード３を、ＱＲコード１、ＱＲコード２、ＱＲコード３の順序で読み取った場合を示している。この場合も、通信端末２は図８に説明した表示と同様の表示を行う。
【００３１】
ところで、以上は、サーバ３がルート情報を生成する場合を説明したが、通信端末２がサーバ３の機能の一部を有することで、通信端末２がルート情報を生成することも可能である。ここでは、
（２−１）地点情報をナビアプリに送信する場合
（２−２）地点情報をナビ装置に送信する場合
について順次説明する。
【００３２】
（２−１）地点情報をナビアプリに送信する場合（図１１参照）
この場合、通信端末２において、制御部２１は、ＱＲコード読み取りアプリを起動し、ＱＲコードを読み取ると（Ａ１１）、その読み取ったＱＲコードを所定のアルゴリズムにしたがってデコードし、地点情報とサービスＩＤとルート順ＩＤとを特定する（Ａ１２）。そして、制御部２１は、図１３に示すように目的地情報のナビアプリへの送信を問い合わせる読み取り完了画面を表示部２４に表示させ（Ａ１３）、ユーザからの操作を待機する（Ａ１４）。制御部２１は、ナビアプリへの送信が許可された（「ＹＥＳ」キーが操作された）と判定すると（Ａ１４：ＹＥＳ）、ナビアプリを起動し（Ａ１５）、地点情報とサービスＩＤとルート順ＩＤとをナビアプリに送信する（Ａ１６）。そして、制御部２１は、複数の地点情報をルート順ＩＤにしたがって関連付け、ルート情報を生成し（Ａ１７）。その生成したルート情報を含む画像を表示部２４に表示させる（Ａ１８）。
【００３３】
（２−２）地点情報をナビ装置に送信する場合（図１２参照）。
この場合、通信端末２において、制御部２１は、地点情報とサービスＩＤとルート順ＩＤとを特定すると（Ａ１２）、図１４に示すように目的地情報のナビ装置への送信を問い合わせる読み取り完了画面を表示部２４に表示させ（Ａ１３）、ユーザからの操作を待機し（Ａ２１）、ナビ装置への送信が許可された（「ＹＥＳ」キーが操作された）と判定すると（Ａ２１：ＹＥＳ）、地点情報とサービスＩＤとルート順ＩＤとをナビ装置に送信する（Ａ２１）。この場合は、ナビ装置が、複数の地点情報をルート順ＩＤにしたがって関連付け、ルート情報を生成し、その生成したルート情報を含む画像を表示する。
【００３４】
以上は、時系列で連続する時系列情報を生成するアプリとして、地点情報からルート情報を生成するアプリを説明したが、図１５に示すような読み取った情報を順次送信するアプリ、図１６に示すような楽曲を順次再生するアプリ、図１７に示すような画像を順次表示するアプリ、図１８に示すようなプログラムを順次実行するアプリ等に適用することも可能である。
【００３５】
以上説明したように本実施形態によれば、次に示す効果を得ることができる。
情報取得システム１において、サーバ３は、複数のＱＲコードが時系列で連続して通信端末２により読み取られると、その読み取られた複数のＱＲコードに対応する複数の情報を所定順序にしたがって関連付け、その所定順序にしたがって関連付けた時系列情報を通信端末２に送信するようにした。これにより、複数のＱＲコードを時系列で連続して読み取る場合に、その読み取られた複数のＱＲコードに対応する適切な情報を取得することができ、利便性を高めることができる。この場合、ルート順ＩＤが格納されているＱＲコードを読み取ったときには、そのルート順ＩＤにしたがうルート情報を取得することができる。又、ルート順ＩＤが格納されていないＱＲコードを読み取ったときには、そのＱＲコードを読み取った順序（読み取り順序）にしたがうルート情報を取得することができる。
【００３６】
本発明は、上記した実施形態で例示したものに限定されることなく、その範囲を逸脱しない範囲で任意に変形又は拡張することができる。
一実施形態では、情報コードとしてＱＲコードを例示したが、ＱＲコード以外の二次元コードであっても良いし、一次元コードであっても良い。又、一実施形態では、通信端末２としてスマートフォンを例示したが、スマートフォンよりも表示部の表示面積が小さい簡易な携帯電話機やスマートフォンよりも表示部の表示面積が大きいタブレット端末等であっても良い。
【００３７】
一実施形態では、サーバ３がＱＲコードを生成する構成、即ち、ＱＲコードを生成するサーバと、ＱＲコードを読み取った通信端末２がアクセスするサーバとが同じである構成を例示したが、それらを異なるサーバとして連携させても良い。即ち、通信端末２がＱＲコードを読み取ってサーバにアクセスしたときに、ＱＲコードの地点情報に対応する情報を抽出可能であれば、ＱＲコードを生成するサーバと、ＱＲコードの地点情報に対応する情報を格納しているサーバとが別々であっても良く、サーバをどのように構成しても良い。
一実施形態では、地点情報が緯度経度である場合を例示したが、住所、郵便番号、電話番号、地域メッシュコード（ＪＩＳ Ｘ ０４１０）等の直接的又は間接的に地点を特定可能な情報が含まれていても良い。即ち、「地点」には、位置だけでなく、その位置が存在する地域も含んでいる。
【符号の説明】
【００３８】
図面中、１は情報取得システム、２は通信端末、３はサーバ、２１ａはＱＲコード読取部（情報コード読取手段）、２１ｅは情報出力部（情報出力手段）、３１は制御部（制御手段）、３１ｃは情報抽出部（情報抽出手段）、３１ｄは時系列情報生成部（時系列情報生成手段）である。
【図１】
0006414441.tif 000002
【図２】
0006414441.tif 000003
【図３】
0006414441.tif 000004
【図４】
0006414441.tif 000005
【図５】
0006414441.tif 000006
【図６】
0006414441.tif 000007
【図７】
0006414441.tif 000008
【図８】
0006414441.tif 000009
【図９】
0006414441.tif 000010
【図１０】
0006414441.tif 000011
【図１１】
0006414441.tif 000012
【図１２】
0006414441.tif 000013
【図１３】
0006414441.tif 000014
【図１４】
0006414441.tif 000015
【図１５】
0006414441.tif 000016
【図１６】
0006414441.tif 000017
【図１７】
0006414441.tif 000018
【図１８】
0006414441.tif 000019